(57)【要約】【課題】猫が自発的に爪研ぎ動作を行うことによって、爪の先端部を切断したり削ることが可能な猫の爪研ぎ用シートを提供する。【解決手段】多数の空所４を有する網目状の金属によって形成されている。空所４は、猫の前足５より小さく、猫の爪６のみを挿入可能な大きさに開口している。【選択図】  図２
2018110578.tif 000002
【特許請求の範囲】
【請求項１】
多数の空所を有する網目状の金属によって形成され、
前記空所は、猫の前足より小さく、猫の爪のみを挿入可能な大きさに開口している猫の爪研ぎ用シート。
【請求項２】
請求項１記載の猫の爪研ぎ用シートにおいて、
前記空所を囲む部分は、猫の爪が挿入される表側とは反対側に刃を有していることを特徴とする猫の爪研ぎ用シート。
【請求項３】
請求項１または請求項２記載の猫の爪研ぎ用シートと、
前記猫の爪研ぎ用シートを平板状に保持するフレームとを備えていることを特徴とする猫用爪研ぎ器。
【請求項４】
請求項１または請求項２記載の猫の爪研ぎ用シートを曲げて形成された筒状体と、
前記筒状体を上下方向に延びる状態で支持する支持部材とを備えていることを特徴とする猫用爪研ぎ器。
【請求項５】
請求項１または請求項２記載の猫の爪研ぎ用シートを曲げて形成された円錐体と、
前記円錐体を頂部が上端に位置する状態で支持する支持部材とを備えていることを特徴とする猫用爪研ぎ器。
【請求項６】
請求項１または請求項２記載の猫の爪研ぎ用シートを曲げて形成された筒状体と、
前記筒状体を水平方向に延びる状態で支持する支持部材とを備えていることを特徴とする猫用爪研ぎ器。
【発明の詳細な説明】
【技術分野】
【０００１】
本発明は、金属によって網目状に形成された猫の爪研ぎ用シートおよびこのシートを使用した猫用爪研ぎ器に関する。
【背景技術】
【０００２】
従来、ペットが家族の一員として認識される中で、人はペットを飼うことにより癒しを感じることも多い。猫を飼っている家では、壁やソファ、カーテンなどが爪研ぎの被害にあって損傷されていることが多い。また飼い主が猫の爪で引っ掻き傷を負うことも少なくない。それは猫の爪のケアが充分に行われていないことが原因である。
【０００３】
猫の爪のケアには大きく分けると次の３種類の方法がある。
（１）爪研ぎ
例えば特許文献１に記載されているような爪研ぎ器を使用する。この爪研ぎ器は、猫の爪が引っ掛かり易い段ボールを備えている。この爪研ぎ器によれば、段ボールに猫が自発的に爪研ぎの動作を行うことによって、爪研ぎが行われる。猫が自発的に爪を引っ掛けて爪研ぎを行い得るものとしては、麻ひも、麻布、木材などがある。
（２）爪切り
飼い主などが専用の爪切具を用い、伸びた爪の先を切って短くする。この方法は、爪の尖った先端部分を切ることができるので最適な方法である。
（３）爪磨き
飼い主などが尖った爪の先端をヤスリ（手動、電動）などで研磨する。この方法によれば、尖った先端部分を磨いて短くすることができる。
【先行技術文献】
【特許文献】
【０００４】
【特許文献１】特開２０１３−２４３９９１号公報
【発明の概要】
【発明が解決しようとする課題】
【０００５】
従来の爪研ぎ器では、必ずしも充分に爪のケアを行うことはできなかった。この理由は、猫の爪の構造にある。猫の爪は、玉葱のような多層構造になっている。このため、猫が爪研ぎをすることにより、外側の爪が剥がれ落ちるとともに更に鋭く尖った爪が現れる。この場合、爪の長さは多少短くはなるが、爪の先が尖ったままなので引っ掛かり易さは変わらない。また、段ボールを使用した従来の爪研ぎ器では、猫が爪研ぎを行うことにより段ボールが細かく千切れ、床等が汚れてしまうという不具合もある。
【０００６】
爪切具やヤスリなどの器具を使用する場合は、猫が爪を切られるのを怖がることがある。怖がらなくても、これらの器具を嫌がる猫は多い。そのため力の強い成猫の場合など、猫を捕まえて爪切り、爪磨きを行うのは容易ではない。猫は、全力で抵抗することもあり、女性一人などでは爪を切るのは難しい。また、素人が猫の爪を切ることで猫に怪我を負わせたり、爪が割れたりすることも起こり得る。
ペットクリニックやペットサロンで爪切りをしてもらうのが最良の方法であるが、費用が発生する。
【０００７】
本発明はこのような問題を解消するためになされたもので、猫が自発的に爪研ぎ動作を行うことによって、爪の先端部を切断したり削ることが可能な猫の爪研ぎ用シートおよび猫用爪研ぎ器を提供することを目的とする。
【課題を解決するための手段】
【０００８】
この目的を達成するために、本発明に係る猫の爪研ぎ用シートは、多数の空所を有する網目状の金属によって形成され、前記空所は、猫の前足より小さく、猫の爪のみを挿入可能な大きさに開口しているものである。
【０００９】
本発明は、前記猫の爪研ぎ用シートにおいて、前記空所を囲む部分は、猫の爪が挿入される表側とは反対側に刃を有していてもよい。
【００１０】
本発明に係る猫用爪研ぎ器は、前記猫の爪研ぎ用シートと、前記猫の爪研ぎ用シートを平板状に保持するフレームとを備えているものである。
【００１１】
本発明に係る猫用爪研ぎ器は、前記猫の爪研ぎ用シートを曲げて形成された筒状体と、前記筒状体を上下方向に延びる状態で支持する支持部材とを備えているものである。
【００１２】
本発明に係る猫用爪研ぎ器は、前記猫の爪研ぎ用シートを曲げて形成された円錐体と、前記円錐体を頂部が上端に位置する状態で支持する支持部材とを備えているものである。
【発明の効果】
【００１３】
本発明においては、猫が空所に爪を挿入して爪研ぎ動作を行うことにより、空所を囲む金属部分によって爪先が切断される。このため、爪研ぎの動作で爪切り（または爪磨き）を行うことができる。
したがって、本発明によれば、猫が自発的に爪研ぎ動作を行うことによって、爪の先端部を切断したり削ることが可能な猫の爪研ぎ用シートを提供できる。
【００１４】
また、この猫の爪研ぎ用シートは、金属によって形成されているから、猫の爪で引っ掻かれて千切れることがなく、長期間にわたって初期の性能を維持することが可能である。また、この猫の爪研ぎ用シートにおいては、爪の切断滓のみが生じるだけであり、床などが汚れ難い。
【００１５】
本発明に係る猫用爪研ぎ器においては、上記の猫の爪研ぎ用シートを壁や床に沿わせて保持したり、筒状あるいは円錐状の猫の爪研ぎ用シートを床に立てて保持することができる。このため、この発明によれば、設置場所の自由度が高く、使い勝手がよい猫用爪研ぎ器を提供することができる。
【図面の簡単な説明】
【００１６】
【図１】第１の実施の形態による猫用爪研ぎ器の正面図である。
【図２】猫の爪研ぎ用シートの一部を拡大して示す正面図である。
【図３】猫の爪研ぎ用シートの概略の構成を説明するための断面図である。
【図４】第１の実施の形態による猫用爪研ぎ器の上端部を拡大して示す断面図である。
【図５】図４の要部を拡大して示す断面図である。
【図６】爪研ぎ用シートの変形例を示す正面図である。
【図７】爪研ぎ用シートの変形例を示す図で、図７（Ａ）は一部の正面図、図７（Ｂ）は（Ａ）図におけるＢ−Ｂ線断面図である。
【図８】爪研ぎ用シートの変形例を示す断面図である。
【図９】爪研ぎ用シートの変形例を示す図で、図９（Ａ）は一部の正面図、図９（Ｂ）は（Ａ）図におけるＢ−Ｂ線断面図である。
【図１０】爪研ぎ用シートの変形例を示す正面図である。
【図１１】第２の実施の形態による猫用爪研ぎ器の斜視図である。
【図１２】猫用爪研ぎ器の下端部の断面図である。
【図１３】第３の実施の形態による猫用爪研ぎ器の正面図である。
【図１４】第４の実施の形態による猫用爪研ぎ器の斜視図である。
【図１５】第５の実施の形態による猫用爪研ぎ器の斜視図である。
【発明を実施するための形態】
【００１７】
（第１の実施の形態）
以下、本発明に係る猫の爪研ぎ用シートおよび猫用爪研ぎ器の一実施の形態を図１〜図５によって詳細に説明する。
図１に示す猫用爪研ぎ器１は、本発明に係る猫の爪研ぎ用シート２と、このシート２を囲むフレーム３などによって構成されている。この実施の形態による猫の爪研ぎ用シート２は、図２に示すように、多数の空所４を有する網目状の金属によって形成されている。この実施の形態による爪研ぎ用シート２を形成する金属材料は、ステンレス鋼である。なお、爪研ぎ用シート２を形成する材料は、ステンレス鋼に限定されることはなく、適宜変更可能である。
【００１８】
この実施の形態による猫の爪研ぎ用シート２は、エキスパンドメタルによって形成されている。このシート２の空所４は、猫の前足５より小さく、猫の爪６のみを挿入可能な大きさに開口している。詳述すると、空所４は、猫の爪６の太さが直径約１ｍｍ〜２ｍｍ程度の先端部分のみが挿入できるように形成されている。
このシート２を構成するエキスパンドメタルは、空所４の枠を形成する多数の棒状のストランド部７と、互いに隣り合うストランド部７の端部どうしを接続するボンド部８とによって構成されている。この実施の形態によるエキスパンドメタルは、４本のストランド部７が菱形状に並ぶものが用いられている。なお、空所４の枠の形状は、菱形に限定されることはなく、例えば、六角形状や八角形状など、適宜変更することが可能である。
【００１９】
一般的なエキスパンドメタルは、裏側にバリが生じ易いものである。このようなエキスパンドメタルは、バリの少ない表側が猫側となるように使用する。すなわち、図３に示すように、エキスパンドメタル（爪研ぎ用シート２）の表面２ａに猫が前足５を押し付けて爪６が表側から空所４内に挿入されるように使用する。
【００２０】
図３は、エキスパンドメタルの断面形状を模式的に図示したものである。図３中には、表面２ａから裏面２ｂに向けて斜め上に延びる傾斜面１１と、この傾斜面１１の上端から下方に延びる垂直面１２とによって挟まれたエッジ部１３が図示されている。このエッジ部１３は、図３中には図示していないが、エキスパンドメタルの裏側のバリや、エキスパンドメタルの裏側に設けた刃などを模式的に表現したものである。エッジ部１３の先端部分の角度、言い換えれば、傾斜面１１と垂直面１２のなす角度は鋭角である。
【００２１】
図１に示す猫用爪研ぎ器１は、正面視において長方形状に形成されたエキスパンドメタルが使用されている。この猫用爪研ぎ器１のフレーム３は、金属やプラスチックによって正面視長方形の額縁状に形成され、爪研ぎ用シート２の４辺に固定されている。このため、フレーム３は、爪研ぎ用シート２を平板状に保持している。
【００２２】
この実施の形態による猫用爪研ぎ器１は、図４に示すように、爪研ぎ用シート２の裏側に裏板１４を備えている。この裏板１４は、ゴムやプラスチックによって形成されており、爪研ぎ用シート２とともにフレーム３に支持されている。裏板１４は、タイルカーペット（図示せず）やフェルト（図示せず）などによって構成することができる。この裏板１４には、猫を誘引するために、マタタビ粉などを吹き付けてマタタビなどの香りをつけることができる。
図４に示すフレーム３は、爪研ぎ用シート２と裏板１４とを保持できるように断面コ字状に形成されている。しかし、フレーム３の構造は、図４に示す構造に限定されることはなく、適宜変更可能である。
【００２３】
図４に示す爪研ぎ用シート２を構成するエキスパンドメタルは、裏側に刃１５が設けられたものである。刃１５は、図５にも図示したように、エキスパンドメタルのストランド部７やボンド部８の裏側の角部分を角度が鋭角になるように形成することによって構成されている。また、刃１５は、エキスパンドメタルの母材（図示せず）に切れ目を入れる工程で「ばり」として生じる凸部を流用することもできる。
【００２４】
このように構成された猫の爪研ぎ用シート２を有する猫用爪研ぎ器１は、壁（図示せず）に沿わせて設置したり、床（図示せず）に沿わせて設置される。壁に沿わせて使用する場合は、フレーム３が上下方向に長くなる状態とする。
このように猫用爪研ぎ器１が壁や床上に設置されることにより、猫が爪研ぎ用シート２に前足５を掛けて爪研ぎを行うことが可能になる。猫が爪研ぎ用シート２で爪研ぎを行うと、空所４に爪６が挿入され、空所４を囲む金属部分（ストランド部７やボンド部８）によって爪先が切断される。このため、爪研ぎの動作で爪切り（または爪磨き）を行うことができる。特に、空所４の大きさは猫の爪６の先端部分のみが入る大きさであるから、爪切りあるいは爪磨きを適切に行うことができる。
【００２５】
したがって、この実施の形態によれば、猫が自発的に爪研ぎを行うことによって、爪６の先端部を切断したり削ることが可能な猫の爪研ぎ用シートを提供することができる。
また、この猫の爪研ぎ用シート２は、金属によって形成されているから、猫の爪６で引っ掻かれて千切れることがなく、長期間にわたって初期の性能を維持することが可能である。また、この猫の爪研ぎ用シート２においては、爪６の切断滓のみが生じるだけであり、床などが汚れ難い。
【００２６】
この実施の形態による猫用爪研ぎ器１においては、上記の猫の爪研ぎ用シート２を壁や床に沿わせて保持することができる。このため、この実施の形態によれば、設置場所の自由度が高く、使い勝手がよい猫用爪研ぎ器を提供することができる。
【００２７】
図４および図５に示す猫の爪研ぎ用シート２において、空所４を囲む部分は、猫の爪６が挿入される表側とは反対側に刃１５を有している。
この実施の形態によれば、猫が爪６を空所４に挿入して引っ掻く動作を行うことにより、猫の爪６が刃１５によって切断される。
また、刃１５は爪研ぎ用シート２の裏側に設けられているから、この爪研ぎ用シート２の表面に触れたとしても、刃１５に接触することはない。
したがって、この実施の形態によれば、刃１５を使って爪切りまたは爪磨きを早くかつ確実に行うことが可能であるとともに、刃１５を有しているにもかかわらず取扱いが簡単で安全な猫の爪研ぎ用シートを提供することができる。
【００２８】
この実施の形態による猫用爪研ぎ器１においては、爪研ぎ用シート２の裏側に裏板１４を備えている。この裏板１４をカーペットやフェルトによって形成することにより、爪研ぎ用シート２によってカットされた爪の先端の破片がこの裏板１４によって保持されるようになる。このため、猫用爪研ぎ器１を立てて使用する場合には、削り滓が下方に落下することを防ぐことができる。このように爪の破片が裏板１４に保持されることにより、爪の破片を裏板１４から掃除機で吸い取って除去することができるから、清掃を容易に行うことができる。
【００２９】
また、裏板１４をカーペットやフェルトなどの柔軟性を有する材料によって形成することにより、裏板１４が爪研ぎ用シート２を保持するクッション材として機能するようになる。このため、猫が爪６を強く爪研ぎ用シート２に押し付けたときに爪研ぎ用シート２が弾性変形し、猫に与える衝撃を緩和することができる。
【００３０】
図１に示した猫用爪研ぎ器１は、正面視において長方形状に形成されている。しかし、本発明はこのような限定にとらわれることはない。平板状の猫用爪研ぎ器の形状は、正面視において正方形や三角形、円形やその他の多角形など、適宜変更することが可能である。
【００３１】
＜猫の爪研ぎ用シートの変形例＞
本発明でいう「多数の空所を有する網目状の金属」としては、上述したエキスパンドメタルに限定されることはなく、図６〜図１０に示すように、パンチングメタルや、織られた金網などによって構成することができる。これらの図において、図１〜図５によって説明したものと同一もしくは同等の部材については、同一符号を付し詳細な説明を適宜省略する。
【００３２】
図６に示す猫の爪研ぎ用シート２１は、パンチングメタルによって形成されている。詳述すると、このシート２１は、金属板２２と、この金属板２２に穿設された空所としての多数の貫通孔２３とによって構成されている。金属板２２の表面には、猫の爪６が引っ掛かり易くなるように、微細な凹凸２２ａが設けられている。
図６に示す貫通孔２３の開口形状は円形である。しかし、この貫通孔２３の開口形状は、円形に限定されることはなく、楕円、長円、四角形など、適宜変更可能である。このパンチングメタルの貫通孔２３は、猫の前足５より小さく、猫の爪６のみを挿入可能な大きさに開口している。詳述すると、貫通孔２３は、猫の爪６の太さが直径約１ｍｍ〜２ｍｍ程度の先端部分のみが挿入できるように形成されている。
パンチングメタルからなる爪研ぎ用シート２１に爪切断用の刃を設けるためには、貫通孔２３の開口縁の一部または全部を金属板２２の裏側に突出させることにより実現できる。
【００３３】
図７に示す猫の爪研ぎ用シート３１は、パンチングメタルによって形成されている。このシート３１は、金属板３２と、この金属板３２に穿設された空所としての多数の斜めの貫通孔３３とによって構成されている。金属板３２の表面には、猫の爪６が引っ掛かり易くなるように、微細な凹凸３２ａが設けられている。貫通孔３３は、シート３１の表面３１ａから裏面３１ｂに向かうにしたがって次第に上に位置するように傾斜している。このように貫通孔３３が傾斜していることにより、このシート３１の裏面３１ｂに貫通孔３３の開口縁の下半部からなる刃３４が形成される。また、貫通孔３３は、猫の爪６の太さが直径約１ｍｍ〜２ｍｍ程度の先端部分のみが挿入できるように形成されている。
【００３４】
図８に示す猫の爪研ぎ用シート３５は、パンチングメタルからなる表側金属板３６と、この表側金属板３６の裏面に重ねられた、パンチングメタルからなる裏側金属板３７と、表側金属板３６に穿設された空所としての多数の第１の貫通孔３８と、裏側金属板３７に穿設された空所としての多数の第２の貫通孔３９とによって構成されている。この実施の形態による爪研ぎ用シート３５は、表側金属板３６が猫側に位置する状態で使用する。
【００３５】
表側金属板３６と裏側金属板３７は、いわゆるラミネート加工によって互いに重なり合う状態で密着している。裏側金属板３７の厚みは、表側金属板３６より薄い。
ラミネート加工は、表側金属板３６と裏側金属板３７とを所定の温度に加熱した状態で互いに圧接させることによって行われる。なお、表側金属板３６と裏側金属板３７とを互いに密着した状態で重ね合わせる手法は、上述したラミネート加工に限定されることはない。例えば、溶接やろう付け、接着剤を使用した接着、リベットやボルトを用いる締結など、２枚の板材を互いに重ねて固定できる手法であれば、どのような手法であってもよい。
【００３６】
表側金属板３６の多数の第１の貫通孔３８と、裏側金属板３７の多数の第２の貫通孔３９とは、上下方向（図８においても上下方向）と、左右方向（図８の紙面と直交する方向）とにそれぞれ所定の形成ピッチで並んでいる。第１の貫通孔３８の上下方向の形成ピッチと、第２の貫通孔３９の上下方向の形成ピッチとは同一である。第１の貫通孔３８の左右方向の形成ピッチと、第２の貫通孔３９の左右方向の形成ピッチとは同一である。
【００３７】
第２の貫通孔３９の孔径は、第１の貫通孔３８の孔径より小さい。このため、第２の貫通孔３９には爪６の爪先が入るようになる。第２の貫通孔３９の下端は、第１の貫通孔３８の下端より上に位置している。すなわち、表側金属板３６と裏側金属板３７とは、正面視において第２の貫通孔３９の下端が第１の貫通孔３８の上端と下端との間に位置するように重ねられている。
第１の貫通孔３８と第２の貫通孔３９の開口形状は、円形、楕円形、長円形、四角形など、任意の形状でよい。
図８に示す猫の爪研ぎ用シート３５によれば、猫の爪６の先端が引っ掛かって切れ易くなる。
【００３８】
図９に示す猫の爪研ぎ用シート４１は、金属板４２と、この金属板４２に形成された空所としての多数の貫通孔４３と、貫通孔毎の膨出部４４とによって構成されている。金属板４２の表面には、猫の爪６が引っ掛かり易くなるように、微細な凹凸４２ａが設けられている。
貫通孔４３の開口形状は、円形である。この貫通孔４３は、猫の前足５より小さく、猫の爪６のみを挿入可能な大きさに開口している。詳述すると、貫通孔４３は、猫の爪６の太さが直径約１ｍｍ〜２ｍｍ程度の先端部分のみが挿入できるように形成されている。
膨出部４４は、金属板４２の一部をプレス加工によって部分的に表面４１ａ側から裏面４１ｂ側に向けて膨出させることによって形成されている。貫通孔４３の一部は、この膨出部４４の先端によって形成されている。膨出部４４の先端は、厚みが徐々に薄くなるように形成されており、刃４５を構成している。
【００３９】
図１０に示す猫の爪研ぎ用シート５１は、平織金網によって形成されている。詳述すると、このシート５１は、金属製の線材からなる縦線５５と横線５３とを交差させて織ることによって形成されている。平織金網の縦線５２と横線５３とによって形成された四角形状の空所５４は、猫の前足５より小さく、かつ爪６のみを挿入可能な大きさに開口している。この空所５４は、猫の爪６の太さが直径約１ｍｍ〜２ｍｍ程度の先端部分のみが挿入できるように形成されている。なお、このように金網によって爪研ぎ用シート５１を形成するにあたっては、平織金網に限定されることはなく、他の織形式となる金網でもよい。
縦線５２と横線５３は、断面形状が円形のものの他に、断面形状が三角形、四角形、または断面に鋭角を持つ形状のものを使用することができる。
【００４０】
（第２の実施の形態）
本発明に係る猫用爪研ぎ器は図１１および図１２に示すように構成することができる。
図１１に示す猫用爪研ぎ器６１は、上下方向に延びる円筒体６２と、この円筒体６２の下端に取付けられた支持部材６３とを備えている。円筒体６２は、第１の実施の形態で説明した猫の爪研ぎ用シート２，２１，３１，４１，５１を円筒状に曲げたものである。この実施の形態においては、この円筒体６２が請求項４記載の発明でいう「筒状体」に相当する。
円筒体６２の上端部には蓋体６４が固定されている。この蓋体６４は、円筒体６２の上端の開口部を閉塞している。
【００４１】
支持部材６３は、金属製の円板によって形成されている。円筒体６２は、上下方向に延びる状態でこの支持部材６３の中心部に例えば溶接によって固定されている。支持部材６３の中心部には、図１２に示すように、貫通穴６５が形成されている。この貫通穴６５は、円筒体６２の中空部に連通されている。貫通穴６５の下部は、上部より外径が大きくなるように形成されており、支持部材６３の下面に形成された環状の溝６６に接続されている。この環状の溝６６と貫通穴６５の下部とによって形成された空間の中には受け皿６７が収容されている。この受け皿６７は、円筒体６２によって切断された爪を受けるためのものである。
【００４２】
この実施の形態に示す猫用爪研ぎ器６１においては、猫が前足５を円筒体６２に掛けて爪研ぎをすることによって、円筒体６２によって爪６が切断される。切断された爪先は、円筒体６２内を通って受け皿６７に落ちる。この受け皿６７は、円筒体６２と支持部材６３とからなる組立体を床から持ち上げた状態で支持部材６３の下方から引き出すことができる。このため、切断された爪先を集める作業が不要になるとともに、この爪先を簡単に捨てることができる。
この実施の形態による猫用爪研ぎ器６１においては、猫の爪研ぎ用シート２，２１，３１，４１，５１を円筒体６２として任意の場所に立てて設置することができる。このため、猫の爪研ぎ用シートの設置場所の自由度が高くなる。
【００４３】
（第３の実施の形態）
本発明に係る猫用爪研ぎ器は図１３に示すように構成することができる。
図１３に示す猫用爪研ぎ器７１は、上下方向に延びる円筒体７２と、この円筒体７２を吊り下げて浮かせた状態で支持するフレーム７３とを備えている。
円筒体７２は、第１の実施の形態で説明した猫の爪研ぎ用シート２，２１，３１，４１，５１を円筒状に曲げたものである。この実施の形態においては、この円筒体７２が請求項４記載の発明でいう「筒状体」に相当し、フレーム７３が請求項４記載の発明でいう「支持部材」に相当する。
【００４４】
円筒体７２の内周面には、カーペットやフェルトなどからなる円筒状の裏板７４が貼付けられている。この裏板７４は、第１の実施の形態を採るときと同様に、切断された爪先を保持し、研いだ爪の滓が周囲に飛び散ることを防ぐ。
フレーム７３は、円筒体７２の下端部に取付けられた下部キャップ７５と、円筒体７２の上端部に取付けられた上部キャップ７６と、この上部キャップ７６から上方に延びる第１のステー７７と、第１のステー７７が上端部に取付けられた第２のステー７８と、この第２のステー７８の下端に取付けられた円板状の台座プレート７９とによって構成されている。
下部キャップ７５と上部キャップ７６は、それぞれ半球状に形成され、円筒体７２の両端の開口部分を覆って閉塞している。
【００４５】
第１および第２のステー７７，７８は、金属製の棒体によって形成されている。第２のステー７８は、上方に向けて凸になるＵ字状に形成されており、円筒体７２の真上から円筒体７２の一側方と他側方を通るようにして上下方向に延びている。第２のステー７８は、円筒体７２より下方に延びている。この第２のステー７８の下端が台座プレート７９に固定されることにより、円筒体７２と台座プレート７９との間に空間Ｓが形成される。この空間Ｓは、猫Ａが通ることが可能な広さを有している。
【００４６】
この実施の形態においては、円筒体７２の周囲と下方とから猫Ａが前足を円筒体７２に掛けて爪研ぎをすることができる。このため、この実施の形態によれば、爪研ぎをより一層行い易い猫用爪研ぎ器を提供することができる。
【００４７】
（第４の実施の形態）
本発明に係る猫用爪研ぎ器は、図１４に示すように構成することができる。
図１４に示す猫用爪研ぎ器８１は、上方に向けて凸になる円錐体８２と、この円錐体８２の下端に取付けられた支持部材８３とを備えている。円錐体８２は、第１の実施の形態で説明した猫の爪研ぎ用シート２，２１，３１，４１，５１を円錐状に曲げたものである。この実施の形態においては、この円錐体８２が請求項５記載の発明でいう「円錐体」に相当し、支持部材８３が請求項５記載の発明でいう「支持部材」に相当する。
【００４８】
支持部材８３は、金属製の円板によって形成されており、円錐体８２を頂部８２ａが上端に位置する状態で支持している。円錐体８２は、上下方向に延びる状態でこの支持部材８３の中心部に例えば溶接によって固定されている。
この実施の形態においては、図示してはいないが、円錐体８２の内部にカーペットやフェルトなどからなる円錐状の裏板を設けたり、支持部材８３の内部に第２の実施の形態で示したような受け皿を設けることができる。
この実施の形態で示す円錐形の猫用爪研ぎ器８１においては、第２の実施の形態を採る場合と較べると重心が低くなるから、猫が爪研ぎをするときに倒れ難くなる。
【００４９】
（第５の実施の形態）
本発明に係る猫用爪研ぎ器は、図１５に示すように構成することができる。
図１５に示す猫用爪研ぎ器９１は、水平方向に延びる円筒体９２と、この円筒体９２の両端に取付けられた第１の支持部材９３および第２の支持部材９４とを備えている。円筒体９２は、第１の実施の形態で説明した猫の爪研ぎ用シート２，２１，３１，４１，５１を円筒状に曲げたものである。この実施の形態においては、この円筒体９２が請求項６記載の発明でいう「筒状体」に相当し、第１および第２の支持部材９３，９４が請求項６記載の発明でいう「支持部材」に相当する。
【００５０】
この円筒体９２の内周面には、カーペットやフェルトなどからなる円筒状の裏板９５を貼付けることができる。この裏板９５は、第１の実施の形態を採るときと同様に、切断された爪先を保持し、研いだ爪の滓が周囲に飛び散ることを防ぐ。
【００５１】
第１の支持部材９３と第２の支持部材９４は、床（図示せず）に沿う脚部９３ａ，９４ａを有し、床の上に安定した状態で設置することができる。これらの第１および第２の支持部材９３，９４は、図示していない抵抗付与機構を介して円筒体９２を回転可能に支持している。円筒体９２は、抵抗付与機構によって付与された抵抗に抗して第１および第２の支持部材９３，９４に対して回転する。このため、猫が過度に大きな力で円筒体９２を引っ掻いたときには、円筒体９２が第１および第２の支持部材９３，９４に対して回転し、爪を逃がす。
【００５２】
この実施の形態による猫用爪研ぎ器９１においては、猫が前足（図示せず）を円筒体９２に掛けて爪研ぎをすることによって、円筒体９２によって爪が切断される。猫が過大な力で爪を円筒体９２に掛けた場合には、円筒体９２が回転するために、爪が無理に引かれることはない。したがって、この実施の形態によれば、爪研ぎを安全に行うことが可能な猫用爪研ぎ器を提供することができる。
【００５３】
上述した各実施の形態で示した猫の爪研ぎ用シート２，２１，３１，４１，５１は、裏面側に爪６を切断するための刃を有することが望ましい。しかし、金属に爪６が強く擦りつけられることによって爪先が丸められることがあるから、爪研ぎ用シートに刃を設けなくてもよい。また、爪研ぎ用シート２，２１，３１，４１，５１の裏面側に鋭利な角が形成される場合は、この角部分が実質的に刃を構成するから、このような場合にも専ら刃として機能する部位を設けなくてよい。
【符号の説明】
【００５４】
１，６１，７１，８１，９１…猫用爪研ぎ器、２，２１，３１，３５，４１，５１…猫の爪研ぎ用シート、３…フレーム、４，５４…空所、１５，３４，４５…刃、２３，３３，４３…貫通孔、６２，７２，９２…円筒体（筒状体）、６３，８３…支持部材、７３…フレーム（支持部材）、８２…円錐体、９３…第１の支持部材（支持部材）、９４…第２の支持部材（支持部材）。
【図１】
2018110578.tif 000003
【図２】
2018110578.tif 000004
【図３】
2018110578.tif 000005
【図４】
2018110578.tif 000006
【図５】
2018110578.tif 000007
【図６】
2018110578.tif 000008
【図７】
2018110578.tif 000009
【図８】
2018110578.tif 000010
【図９】
2018110578.tif 000011
【図１０】
2018110578.tif 000012
【図１１】
2018110578.tif 000013
【図１２】
2018110578.tif 000014
【図１３】
2018110578.tif 000015
【図１４】
2018110578.tif 000016
【図１５】
2018110578.tif 000017